(57)【要約】【課題】照明装置が取付部材に対して第１軸心方向へぐらつくのを防止することが可能な前照灯を提供する。【解決手段】前照灯２３は、自転車に取り付け可能な取付部材２４と、取付部材２４に取付けられた照明装置２５とを有し、照明装置２５は第１軸心４０を中心にして第１方向Ａへ回動自在であり、照明装置２５の第１方向Ａへの回動を許容した状態で、第１軸心方向Ｂにおいて照明装置２５を取付部材２４に固定する固定手段５２が備えられている。【選択図】図４
2010260369.tif 000002
【特許請求の範囲】
【請求項１】
自転車に取り付け可能な取付部材と、取付部材に設けられた照明装置とを有する前照灯であって、
照明装置は第１軸心を中心にして第１方向へ回動自在に取付部材に設けられ、
照明装置の第１方向への回動を許容した状態で、第１軸心方向において照明装置を取付部材に固定する固定手段が備えられていることを特徴とする前照灯。
【請求項２】
固定手段は、取付部材に設けられた第１係合部と、照明装置に設けられた第２係合部とを有し、
第２係合部は、第１軸心方向において第１係合部に係合するとともに、第１方向において第１係合部に対して摺動することを特徴とする請求項１記載の前照灯。
【請求項３】
照明装置の第１方向への回動範囲を規制する第１規制手段が備えられ、
第１規制手段によって規制された回動範囲にわたって、第２係合部が、第１軸心方向において第１係合部に係合するとともに、第１方向において第１係合部に対し摺動することを特徴とする請求項２記載の前照灯。
【請求項４】
反射体が、照明装置に取り付けられ、照明装置に対して第１軸心と同方向の第２軸心を中心にして第２方向へ回動自在であることを特徴とする請求項１から請求項３のいずれか１項に記載の前照灯。
【請求項５】
反射体の第２方向への回動範囲を規制する第２規制手段が備えられていることを特徴とする請求項４記載の前照灯。
【請求項６】
第１軸心方向が上下方向であり、
第１方向が左右方向であることを特徴とする請求項１から請求項５のいずれか１項に記載の前照灯。
【請求項７】
取付部材は自転車のハンドルに着脱自在に取り付けられることを特徴とする請求項１から請求項６のいずれか１項に記載の前照灯。
【発明の詳細な説明】
【技術分野】
【０００１】
本発明は自転車に取り付けられる前照灯に関する。
【背景技術】
【０００２】
従来、この種の前照灯としては、例えば図１１，図１２に示すように、自転車のハンドル１に取り付けられた取付部材２と、取付部材２に設けられた照明装置３とを有するものがある。照明装置３内には、ＬＥＤ又は電球等の発光体９が設けられている。
【０００３】
照明装置３には軸部４が設けられ、この軸部４が取付部材２に形成された孔部５に挿入されている。これにより、照明装置３は、軸部４を通る上下軸心６（第１軸心）を中心にして左右方向Ａへ回動自在な状態で、取付部材２に設けられている。
【０００４】
これによると、取付部材２に対して、照明装置３を上下軸心６廻りへ回動させることにより、照明装置３の光軸７の向きを左右方向Ａへ変えることができる。
尚、上記のように自転車のハンドルに取り付けられた前照灯については例えば下記特許文献１に記載されている。
【先行技術文献】
【特許文献】
【０００５】
【特許文献１】特開２００１−２３３２６４
【発明の概要】
【発明が解決しようとする課題】
【０００６】
しかしながら上記の従来形式では、取付部材２に対する照明装置３の上下方向Ｂ（第１軸心方向）における固定力が弱く、特に照明装置３が大型で重い場合、取付部材２に対する照明装置３の取付姿勢が上下方向Ｂにおいて不安定であった。このため、自転車を走行させているときの振動等の影響により、軸部４と孔部５とからなる回動機構部８を中心として、図１２の仮想線で示すように、照明装置３が取付部材２に対して上下方向Ｂへぐらつき易い（揺動し易い）といった問題があった。
【０００７】
本発明は、照明装置が取付部材に対して第１軸心方向（例えば上下方向）へぐらつくのを防止することが可能な前照灯を提供することを目的とする。
【課題を解決するための手段】
【０００８】
上記目的を達成するために、本発明の前照灯は、照明装置が第１軸心を中心にして第１方向へ回動自在に取付部材に設けられ、
照明装置の第１方向への回動を許容した状態で、第１軸心方向において照明装置を取付部材に固定する固定手段が備えられている。
【０００９】
本構成によって、取付部材に対する照明装置の第１軸心方向における固定力が増大し、照明装置が大型で重い場合であっても、取付部材に対する照明装置の取付姿勢が第１軸心方向において安定する。したがって、自転車を走行させているときの振動等の影響を受けても、照明装置が取付部材に対して第１軸心方向へぐらつくのを防止することができる。
【発明の効果】
【００１０】
以上のように本発明によれば、照明装置は、第１方向への回動が許容された状態で、第１軸心方向において取付部材に固定されている。このため、取付部材に対する照明装置の第１軸心方向における固定力が増大し、照明装置が大型で重い場合であっても、取付部材に対する照明装置の取付姿勢が第１軸心方向において安定する。したがって、自転車を走行させているときの振動等の影響を受けても、照明装置が取付部材に対して第１軸心方向へぐらつくのを防止することができる。
【図面の簡単な説明】
【００１１】
【図１】本発明の実施の形態における前照灯を取り付けた自転車のハンドルの平面図
【図２】同、前照灯の斜視図
【図３】同、前照灯の側面図
【図４】同、前照灯の一部を断面表示した側面図
【図５】同、前照灯の分解斜視図
【図６】同、前照灯の斜め下から見た分解斜視図
【図７】同、前照灯の取付部材と反射体とアームとの斜視図
【図８】（ａ）は前照灯の第１規制手段の平面図、（ｂ）は前照灯の第２規制手段の平面図
【図９】同、前照灯の分解側面図
【図１０】同、前照灯の固定手段の拡大断面図
【図１１】従来の前照灯を取り付けた自転車のハンドルの平面図
【図１２】同、前照灯の一部を断面表示した側面図
【発明を実施するための形態】
【００１２】
本第１発明は、自転車に取り付け可能な取付部材と、取付部材に設けられた照明装置とを有する前照灯であって、
照明装置は第１軸心を中心にして第１方向へ回動自在に取付部材に設けられ、
照明装置の第１方向への回動を許容した状態で、第１軸心方向において照明装置を取付部材に固定する固定手段が備えられているものである。
【００１３】
これによると、取付部材に対して、照明装置を第１軸心廻りに回動させることにより、照明装置の光軸の向きを第１方向へ変えることができる。
また、照明装置は、固定手段によって、第１方向への回動が許容された状態で、第１軸心方向において取付部材に固定されている。このため、取付部材に対する照明装置の第１軸心方向における固定力が増大し、照明装置が大型で重い場合であっても、取付部材に対する照明装置の取付姿勢が第１軸心方向において安定する。したがって、自転車を走行させているときの振動等の影響を受けても、照明装置が取付部材に対して第１軸心方向へぐらつくのを防止することができる。
【００１４】
本第２発明における前照灯は、固定手段は、取付部材に設けられた第１係合部と、照明装置に設けられた第２係合部とを有し、
第２係合部は、第１軸心方向において第１係合部に係合するとともに、第１方向において第１係合部に対して摺動するものである。
【００１５】
これによると、取付部材に対して、照明装置を第１軸心廻りに回動させることにより、第２係合部が第１係合部に対して摺動し、照明装置の光軸の向きを第１方向へ変えることができる。
【００１６】
また、第２係合部が第１軸心方向において第１係合部に係合することで、照明装置は、第１方向への回動が許容された状態で、第１軸心方向において取付部材に固定される。
本第３発明における前照灯は、照明装置の第１方向への回動範囲を規制する第１規制手段が備えられ、
第１規制手段によって規制された回動範囲にわたって、第２係合部が、第１軸心方向において第１係合部に係合するとともに、第１方向において第１係合部に対し摺動するものである。
【００１７】
これによると、照明装置は、第１方向への回動範囲にわたり、第１軸心方向において取付部材に固定される。
本第４発明における前照灯は、反射体が、照明装置に取り付けられ、照明装置に対して第１軸心と同方向の第２軸心を中心にして第２方向へ回動自在であるものである。
【００１８】
これによると、反射体を第２方向へ回動させることにより、自転車の直進方向に対する照明装置の向きと反射体の向きとを個別に変更することができる。これにより、照明装置の向きに関わらず、反射体の向きを例えば自転車の直進方向に合わせることができる。
【００１９】
本第５発明における前照灯は、反射体の第２方向への回動範囲を規制する第２規制手段が備えられているものである。
本第６発明における前照灯は、第１軸心方向が上下方向であり、
第１方向が左右方向であるものである。
【００２０】
これによると、照明装置を第１軸心廻りに回動させることにより、照明装置の光軸の向きを左右方向へ変えることができる。
また、照明装置は、固定手段によって、左右方向への回動が許容された状態で、上下方向において取付部材に固定されている。このため、取付部材に対する照明装置の上下方向における固定力が増大し、取付部材に対する照明装置の取付姿勢が上下方向において安定し、照明装置が取付部材に対して上下方向へぐらつくのを防止することができる。
【００２１】
本第７発明における前照灯は、取付部材は自転車のハンドルに着脱自在に取り付けられるものである。
以下、本発明における実施の形態について、図面を参照しながら説明する。
【００２２】
図１に示すように、２１は自転車であり、そのハンドル２２には前照灯２３が取り付けられている。前照灯２３は、ハンドル２２に着脱自在に取り付けられた取付部材２４と、取付部材２４に設けられた照明装置２５と、照明装置２５に取り付けられた反射体２６とを有している。
【００２３】
図２〜図５に示すように、取付部材２４は、ハンドル２２に外嵌されるホルダー２８と、ホルダー２８とハンドル２２との間に介装されるスペーサー２９とを有している。ホルダー２８は第１のホルダー体３１と第２のホルダー体３２とに分割されている。第１のホルダー体３１は、一端部に、台座部３３と差込溝３４とを有している。また、第２のホルダー体３２は、一端部に、差込片３５を有しており、差込片３５が差込溝３４に差し込まれることにより、第１のホルダー体３１の一端部と第２のホルダー体３２の一端部とが接合される。また、第１のホルダー体３１の他端部と第２のホルダー体３２の他端部とはねじ３６（締結手段の一例）を介して連結されている。また、スペーサー２９は、一箇所が切断された一つ割り構造の円環状の部材である。
【００２４】
照明装置２５は、本体ケース３８と、本体ケース３８内に設けられたＬＥＤ又は電球等の発光体３９とを有している。照明装置２５は、第１上下軸心４０（第１軸心の一例）を中心にして左右方向Ａ（第１方向の一例）へ回動自在な状態で、取付部材２４に設けられている。
【００２５】
すなわち、図４，図６，図７に示すように、本体ケース３８には、下向きに突出する円筒状の軸部４１が設けられ、第１のホルダー体３１の台座部３３には、上面が開口した孔部４２が形成されている。軸部４１は上方から孔部４２に挿入され、軸部４１の下端には、軸部４１が孔部４２から脱抜するのを阻止する抜止用ねじ４３が設けられている。尚、軸部４１と孔部４２と抜止用ねじ４３とによって第１回動機構部４７が構成されている。
【００２６】
孔部４２の内周面には複数の歯部４４が形成されている。尚、軸部４１の付根部分４１ａは多角形状に形成され、この付根部分４１ａには、複数の爪４５を有する環状の爪止部材４６（クリッカー）が外嵌されている。爪止部材４６の爪４５が孔部４２の歯部４４に歯合することにより、照明装置２５を左右方向Ａへ回動させるときの負荷が増加し、照明装置２５が不用意に左右方向Ａへ回動するのを防止している。
【００２７】
また、前照灯２３には、照明装置２５の左右方向Ａへの回動範囲を規制する第１規制手段４８が備えられている。第１規制手段４８は、図４，図６に示すように本体ケース３８に設けられて下向きに突出する第１規制突起４９と、図４，図７に示すように第１のホルダー体３１の台座部３３に形成され且つ上面が開口した第１規制溝５０とを有している。第１規制突起４９は上方から第１規制溝５０に挿入され、第１規制溝５０は第１上下軸心４０を中心とした円弧形状に形成されている。照明装置２５は、図８（ａ）に示すように、第１規制突起４９が第１規制溝５０の一端部に当接する位置Ｇ１と他端部に当接する位置Ｇ２との間で、左右方向Ａへ回動可能となる。
【００２８】
また、前照灯２３には、照明装置２５の左右方向Ａへの回動を許容した状態で、上下方向Ｂ（すなわち第１上下軸心４０の方向であり、第１軸心方向の一例）において照明装置２５を取付部材２４に固定する固定手段５２が備えられている。
【００２９】
図４，図６，図７，図９に示すように、固定手段５２は、第１のホルダー体３１の台座部３３に設けられた第１係合部５３と、照明装置２５の本体ケース３８に設けられた第２係合部５４とを有している。図１０に示すように、第１係合部５３は、逆Ｌ形状に形成されており、先端部（上端部）に第１係合爪５３ａを有している。また、第２係合部５４は、Ｌ形状に形成されており、先端部（下端部）に第２係合爪５４ａを有している。
【００３０】
第１係合爪５３ａの下方には第１係合凹部５３ｂが形成され、第２係合爪５４ａと本体ケース３８との間には第２係合凹部５４ｂが形成され、第１係合爪５３ａが第２係合凹部５４ｂに嵌め込まれ、第２係合爪５４ａが第１係合凹部５３ｂに嵌め込まれている。これにより、第２係合部５４は、第１規制手段４８により規制された回動範囲にわたって、上下方向Ｂにおいて下方から第１係合部５３に係合するとともに、左右方向Ａにおいて第１係合部５３に対し摺動するように構成されている。
【００３１】
尚、図６に示すように、第２係合部５４は軸部４１の後方に配設され、第１規制突起４９は軸部４１と第２係合部５４との間に配設されている。また、図７に示すように、第１係合部５３は孔部４２の後方に配設され、第１規制溝５０は孔部４２と第１係合部５３との間に配設されている。
【００３２】
図２〜図４，図７に示すように、反射体２６は、アーム５６を介して照明装置２５の本体ケース３８に取り付けられており、第１上下軸心４０と同方向の第２上下軸心５７（第２軸心の一例）を中心にして左右方向Ｃ（第２方向の一例）へ回動自在であり、且つ、第２上下軸心５７に直交する第３左右軸心５９（第３軸心の一例）を中心にして上下方向Ｄへ回動自在である。
【００３３】
図４，図６，図７に示すように、反射体２６とアーム５６とは取付部材２４の前方に位置しており、アーム５６の上端部には、上向きに突出する円筒状の凸部６０と、複数の爪６４を有する爪止部６５とが設けられている。また、本体ケース３８には、下面が開口した円形状の凹部６１と、複数の歯部６６とが形成されている。凸部６０は下方から凹部６１に嵌め込まれており、下方から凸部６０に挿通されて本体ケース３８に螺合するねじ６２によって、アーム５６が本体ケース３８に回動自在に連結されている。尚、第２上下軸心５７はねじ６２の中心部を通っている。
【００３４】
また、爪止部６５の爪６４（図７参照）が下方から歯部６６（図６参照）に歯合することにより、反射体２６を左右方向Ｃへ回動させるときの負荷が増加して、反射体２６が不用意に左右方向Ｃへ回動するのを防止している。尚、凸部６０と凹部６１とねじ６２とによって第２回動機構部６７が構成されている。
【００３５】
反射体２６はねじ６９を介してアーム５６の下端部に取付けられている。
前照灯２３には、反射体２６の左右方向Ｃへの回動範囲を規制する第２規制手段７０が備えられている。第２規制手段７０は、アーム５６の上端部に設けられて上向きに突出する第２規制突起７１（図７参照）と、本体ケース３８に形成されて凹部６１に連通し且つ下面が開口した第２規制凹部７２（図６参照）とを有している。
【００３６】
第２規制突起７１は下方から第２規制凹部７２に挿入され、第２規制凹部７２は第２上下軸心５７を中心とした扇形状に形成されている。図８（ｂ）に示すように、反射体２６は、第２規制突起７１が第２規制凹部７２の一端部に当接する位置Ｈ１と他端部に当接する位置Ｈ２との間で、左右方向Ｃへ回動可能となる。
【００３７】
尚、図７に示すように、爪止部６５は凸部６０の後方に配設され、第２規制突起７１は凸部６０の前方に配設され、図６に示すように、歯部６６は凹部６１の後方に配設され、第２規制凹部７２は凹部６１の前方に配設されている。
【００３８】
以下、上記構成における作用を説明する。
図２に示すように、取付部材２４に対して、照明装置２５を第１上下軸心４０廻りに回動させることにより、固定手段５２の第２係合部５４が第１係合部５３に対して摺動し、照明装置２５の光軸７３の向きを左右方向Ａへ変えることができる。これにより、例えば、図１に示すように、照明装置２５で自転車２１の進行方向前方を照らすことができる。
【００３９】
尚、照明装置２５を第１上下軸心４０廻りに回動させる際、図８（ａ）に示すように、第１規制手段４８の第１規制突起４９が第１規制溝５０の一端部に当接する位置Ｇ１と他端部に当接する位置Ｇ２との間で、照明装置２５が左右方向Ａへ回動可能となるため、照明装置２５の左右方向Ａへの回動範囲が規制される。
【００４０】
また、照明装置２５の左右方向Ａへの回動範囲にわたり、第２係合部５４が上下方向Ｂにおいて第１係合部５３に係合することで、照明装置２５は、左右方向Ａへの回動が許容された状態で、上下方向Ｂにおいて取付部材２４に固定される。このため、取付部材２４に対する照明装置２５の上下方向Ｂにおける固定力が増大し、照明装置２５が大型で重い場合であっても、取付部材２４に対する照明装置２５の取付姿勢が上下方向Ｂにおいて安定する。したがって、自転車２１を走行させているときの振動等の影響を受けても、照明装置２５が取付部材２４に対して第１回動機構部４７を支点として上下方向Ｂへぐらつくのを防止することができる。さらに、爪止部材４６の爪４５（図６参照）が歯部４４（図７参照）に歯合することにより、照明装置２５が不用意に左右方向Ａへ回動するのを防止することができる。
【００４１】
また、照明装置２５を第１上下軸心４０廻りに回動させ、反射体２６を第２上下軸心５７廻りに回動させることにより、自転車２１の直進方向７４に対する照明装置２５の向きと反射体２６の向きとを個別に変更することができる。これにより、図１に示すように、照明装置２５の向きに関わらず、反射体２６の向きを例えば自転車２１の直進方向７４に合わせることができる。
【００４２】
尚、反射体２６を第２上下軸心５７廻りに回動させる際、図８（ｂ）に示すように、第２規制手段７０の第２規制突起７１が第２規制凹部７２の一端部に当接する位置Ｈ１と他端部に当接する位置Ｈ２との間で、反射体２６が左右方向Ｃへ回動可能となるため、反射体２６の左右方向Ｃへの回動範囲が規制される。また、爪止部６５の爪６４（図７参照）が歯部６６（図６参照）に歯合することにより、反射体２６が不用意に左右方向Ｃへ回動するのを防止することができる。
【００４３】
さらに、図４に示すように、ねじ３６を緩めて第１のホルダー体３１の他端部と第２のホルダー体３２の他端部との間隔を広げたり、スペーサー２９を取り外すことにより、取付部材２４をハンドル２２のパイプ材２２ａの周方向Ｅへ回動させることができるため、照明装置２５の光軸７３の上下方向Ｂにおける傾斜角度を変更することができる。また、第３左右軸心５９を中心にして反射体２６を上下方向Ｄへ回動させることにより、反射体２６の上下方向Ｄにおける傾斜角度を変更することができる。
【００４４】
上記実施の形態では、第１軸心方向を上下方向Ｂとし、第１軸心廻りの第１方向を左右方向Ａとしたが、これらの方向に限定されるものではなく、例えば、第１軸心方向を左右方向とし、第１軸心廻りの第１方向を上下方向としてもよい。
【産業上の利用可能性】
【００４５】
本発明は、自転車のハンドルに取り付けられる前照灯に最適であるが、ハンドル以外の箇所に取り付けられる前照灯にも適用できる。
【符号の説明】
【００４６】
２１      自転車
２２      ハンドル
２３      前照灯
２４      取付部材
２５      照明装置
２６      反射体
４０      第１上下軸心（第１軸心）
４８      第１規制手段
５２      固定手段
５３      第１係合部
５４      第２係合部
５７      第２上下軸心（第２軸心）
７０      第２規制手段
Ａ        左右方向（第１方向）
Ｂ        上下方向（第１軸心方向）
Ｃ        左右方向（第２方向）
【図１】
2010260369.tif 000003
【図２】
2010260369.tif 000004
【図３】
2010260369.tif 000005
【図４】
2010260369.tif 000006
【図５】
2010260369.tif 000007
【図６】
2010260369.tif 000008
【図７】
2010260369.tif 000009
【図８】
2010260369.tif 000010
【図９】
2010260369.tif 000011
【図１０】
2010260369.tif 000012
【図１１】
2010260369.tif 000013
【図１２】
2010260369.tif 000014